【手続補正書】
【提出日】平成21年2月12日(2009.2.12)
【手続補正１】
【補正対象書類名】明細書
【補正対象項目名】００１３
【補正方法】変更
【補正の内容】
【００１３】
また、本体３１０の受光装置２００との対向面側に、当該受光装置２００のレンズ付きキャップ２８０の先端側を固定保持する装置ホルダ３２０が設けられている。この装置ホルダ３２０は、本体３１０と同じ材料により一体に設けられる。装置ホルダ３２０は、底部３２１を有する穴３２２である。開口部３２３から受光装置２００が挿入される。この挿入深さは、集光レンズ２５０の焦点距離に応じて調整できるようにするため、ある程度の深さをもって設けられる。
【手続補正２】
【補正対象書類名】明細書
【補正対象項目名】００１７
【補正方法】変更
【補正の内容】
【００１７】
変形例の態様の一つは、集光レンズの取り付け位置に関するものである。図１に示す態様では、受光装置２００のレンズ付きキャップ２８０に集光レンズ２５０が設けられているが、これに限られない。例えば、図２に示すように、レセプタクル３００側に、集光レンズ３９０を設けたものがある。集光レンズ３９０は、樹脂成形されたものである。具体的には、本体３１０の底部３２１に開口する開口部３２４に、集光レンズ３９０を載置するものである。この例の場合、受光装置２００は、受光素子２３０および電気信号を増幅するＩＣ２２０を搭載する金属ベース２１０と、キャップ部分のガラス窓２６０およびガラス窓ホルダ２７０から構成される。ガラス窓２６０は、低融点ガラスによりガラス窓ホルダ２７０の貫通孔２７０ａに固着される。この状態で、ガラス窓付きキャップ２９０の気密封止を行っている。ガラス窓付きキャップ２９０は金属ベース２１０に抵抗溶接され気密封止を行っている。
【手続補正３】
【補正対象書類名】明細書
【補正対象項目名】００１８
【補正方法】変更
【補正の内容】
【００１８】
一方、スタブフェルール３７０を有しないものにも適用可能である。図３および図４にそれぞれ示すものが、その例である。図３に示す例では、集光レンズ２５０が受光装置側に設けられている。図４に示す例では、集光レンズ３９０が、装置ホルダ３２０の底部３２１に開口する開口部３２４を覆って設けられる。
【手続補正４】
【補正対象書類名】明細書
【補正対象項目名】００１９
【補正方法】変更
【補正の内容】
【００１９】
次に、レセプタクル３００と受光装置２００との固定について説明する。前述したように、固定には、紫外線硬化型樹脂５００が用いられる。図５から図７までに示すものは、レセプタクル３００の装置ホルダ３２０の開口部３２３の周縁に、紫外線硬化型樹脂５００に対する紫外線の照射面積を増加させるための加工を施している。
【手続補正５】
【補正対象書類名】明細書
【補正対象項目名】００２０
【補正方法】変更
【補正の内容】
【００２０】
図５に示す例は、装置ホルダ３２０の周縁に切り欠き３３０を複数設けたものである。なお、図８（ａ）及び図８（ｂ）に、斜視図を示す。
【手続補正６】
【補正対象書類名】明細書
【補正対象項目名】００２３
【補正方法】変更
【補正の内容】
【００２３】
図６に示す例は、図５に示す切り欠きに代えて、装置ホルダ３２０の開口部３２３の周縁に、貫通孔３４０を複数個設けた例である。貫通孔３４０は、断面円形であるが、これに限られない。例えば、楕円、長円、長方形等であってもよい。この貫通孔３４０の形状、面積及び個数については、前述した切り欠き３３０について述べたように、紫外線硬化型樹脂５００の硬化反応に合わせて選定される。
【手続補正７】
【補正対象書類名】明細書
【補正対象項目名】００２４
【補正方法】変更
【補正の内容】
【００２４】
図７に示す例は、これまでの例と異なり、切り欠き３３０、貫通孔３４０が設けられていない。それらに代えて、装置ホルダ３２０の開口部３２３の周縁３２３ａの、紫外線透過率を向上させた例である。紫外線透過率を向上させる典型的な例として、紫外線透過率の高い樹脂を用いること、肉厚を薄くすること、その両者の特徴を備えることが挙げられる。また、図５に示す切り欠き３３０を設けた例、及び、図６に示す貫通孔３４０を設けた例と、紫外線透過率を高くする、図７に示す例とを組み合わせることができる。
【手続補正８】
【補正対象書類名】明細書
【補正対象項目名】００２６
【補正方法】変更
【補正の内容】
【００２６】
受光装置２００とレセプタクル３００との固定は、図１に示すように、まず、レセプタクル３００の装置ホルダ３２０の穴３２２に、受光装置２００のレンズ付きキャップ２８０が挿入される。この状態で、装置ホルダ３２０の穴３２２の内壁３２２ａと、受光装置２００のレンズ付きキャップ２８０の外周との間に、紫外線硬化型樹脂５００を注入する。次に、図９に示すように、装置ホルダ３２０の外周に、紫外線源を有する照明装置から紫外線ＵＶを照射する。この際、装置ホルダ３２０の外周に紫外線ＵＶが均一に照射されるように、紫外線源と装置ホルダ３２０とを相対的に回転させる。照射時間は、使用する紫外線硬化型樹脂について定められた時間とする。
【手続補正９】
【補正対象書類名】明細書
【補正対象項目名】００２７
【補正方法】変更
【補正の内容】
【００２７】
なお、以上の例では、紫外線硬化型樹脂５００を、装置ホルダ３２０の穴３２２の内壁３２２ａと、受光装置２００のレンズ付きキャップ２８０の外周との間に注入する例を示した。しかし、これに限定されない。例えば、装置ホルダ３２０の穴３２２の内壁３２２ａ、および、受光装置２００のレンズ付きキャップ２８０の外周２８０ａのうち、いずれかに紫外線硬化型樹脂５００を塗布して、これらを嵌合させる構成としてもよい。
【手続補正１０】
【補正対象書類名】明細書
【補正対象項目名】００２８
【補正方法】変更
【補正の内容】
【００２８】
以上に述べた各実施形態では、切り欠き３３０、貫通孔３４０、透過率等の技術的工夫により、装置ホルダ３２０において、内周側に存在する紫外線硬化型樹脂への紫外線の照射の均一化を図っている。このため、紫外線硬化型樹脂を硬化させる際のむらの発生を低減することが可能となる。
【手続補正１１】
【補正対象書類名】明細書
【補正対象項目名】００３０
【補正方法】変更
【補正の内容】
【００３０】
【図１】本発明の第１実施形態である光モジュールを示す断面図である。
【図２】本発明の第２実施形態である光モジュールの断面図である。
【図３】本発明の第１実施形態である光モジュールの変形例を示す断面図である。
【図４】本発明の第２実施形態である光モジュールの変形例を示す断面図である。
【図５】本発明の光モジュールのレセプタクルの側面図である。
【図６】本発明の光モジュールのレセプタクルの側面図である。
【図７】本発明の光モジュールのレセプタクルの側面図である。
【図８】(ａ)図５のレセプタクルを用いた光モジュールの斜視図である。（ｂ）図５のレセプタクルを用いた光モジュールの（ａ）とは逆方向の斜視図である。
【図９】受光装置への紫外線照射を模式的に説明する説明図である。
【手続補正１２】
【補正対象書類名】明細書
【補正対象項目名】００３１
【補正方法】変更
【補正の内容】
【００３１】
２００：受光装置、２１０：金属ベース、２２０：ＩＣ、２３０：受光素子、２４０：レンズホルダ、２４０ａ：貫通孔、２５０：集光レンズ、２６０：ガラス窓、２７０：ガラス窓ホルダ、２７０ａ：貫通孔、２８０：レンズ付きキャップ、２９０：ガラス窓付きキャップ、３００：レセプタクル、３１０：本体、３１１：貫通孔、３１２：スタブフェルールが固定される領域、３１３：スリーブが収容される領域、３２０：装置ホルダ、３２１：底部、３２２：穴、３２２ａ：内壁、３２３：開口部、３２３ａ：開口部の周縁、３２４：底部の開口部、３３０：切り欠き、３４０：貫通孔、３７０：スタブフェルール、３８０：スリーブ、３９０：集光レンズ、４００：光ファイバ、５００：紫外線硬化樹脂、L：光軸、ＵＶ：紫外線
【手続補正１３】
【補正対象書類名】図面
【補正対象項目名】図６
【補正方法】変更
【補正の内容】
【図６】
2008116861.tif 000001